(57)【要約】【課題】ユーザが画作りパラメータを適用して画像を確認するために、画像処理が施されたあとの画像に基づいて、画像データが補正されることにより、画像処理の前後で、基準となる表示輝度が変化してしまう場合があった。  そこで、本発明は、ユーザが画像に対して画作りパラメータによる画像処理を施す場合に、基準となる表示輝度の変化を抑制して画像を表示することができる技術を提供することを目的とする。【解決手段】  入力画像に基づいて画面に画像を表示する表示装置であって、ユーザの指示に応じて画像に画作りパラメータによる画像処理を施す画像処理手段と、前記画像に基づいて、前記表示装置の表示輝度の上限値を決定する決定手段と、を備え、前記決定手段は、前記画像処理手段が画作りパラメータによる画像処理を施した場合に、表示輝度の上限値は画像によらず予め決められた上限値とすることを特徴とする構成とした。【選択図】  図２
2019158984.tif 000002
【特許請求の範囲】
【請求項１】
入力画像に基づいて画面に画像を表示する表示装置であって、
ユーザの指示に応じて入力画像に画作りパラメータによる画像処理を施す画像処理手段と、
前記画像に基づいて、前記表示装置の表示輝度の上限値を決定する決定手段と、
を備え、
前記決定手段は、前記画像処理手段が画作りパラメータによる画像処理を施した場合に、表示輝度の上限値は画像によらず予め決められた上限値とすることを特徴とする表示装置。
【請求項２】
前記決定手段は、前記画像処理手段が画作りパラメータによる画像処理を施さない場合に、前記画像に基づいて、前記表示装置の消費電力が所定の電力以下となるように、前記表示輝度の上限値を決定することを特徴とする請求項１に記載の表示装置。
【請求項３】
前記決定手段は、前記画像処理手段が画作りパラメータによる画像処理を施した場合に、請求項２に記載の入力画像に基づいて所定の電力以下となるように表示輝度上限を決定する処理を行わずに、どのような入力画像であっても前記表示装置の消費電力が所定の電力以下となるように、前記表示輝度の上限値を決定することを特徴とする請求項１に記載の表示装置。
【請求項４】
前記画像処理手段が施す画像処理は前記表示装置の消費電力の変化を伴うものであることを特徴とする請求項１に記載の表示装置。
【発明の詳細な説明】
【技術分野】
【０００１】
本発明は、入力画像に応じて表示輝度の上限値を設定して画像を表示する表示装置、及びその制御方法、プログラム、記憶媒体に関する。
【背景技術】
【０００２】
画面に表示された画像（表示画像）の輝度の上限の向上と、表示画像のコントラストの向上とが望まれている。液晶表示装置では、バックライトユニットのローカルデミング制御を行うことにより、白色の表示輝度（画面の輝度）を高め、黒色の表示輝度を低減することができる。それにより、表示画像の輝度の上限の向上と、表示画像のコントラストの向上との両方を実現することができる。
【０００３】
しかしながら、バックライトユニットの発光輝度を高めると、表示輝度を高めることができるものの、バックライトユニットの消費電力が増す。特に、画面の領域全体に対してバックライトユニットの発光輝度を高めると、バックライトユニットの消費電力が大幅に増す。そして、電力（電源が液晶表示装置に出力可能な電力、液晶表示装置に入力可能な電力、等）には上限があり、バックライトユニットの発光輝度を高めることで、液晶表示装置に必要な電力が上限を超えることがある。液晶表示装置に必要な電力が上限を超えると、電源、液晶表示装置の電源回路、等を保護するために、画面が突然暗くなったり、画像が突然表示されなくなったりする。
【０００４】
映像制作においては、グレーディングと呼ばれる撮影した映像が所望の映像となるように画像処理を適用する編集作業がある。この時適用する画像処理のパラメータを画作りパラメータと呼ぶ。また、本グレーディング前の仮グレーディングとして撮影現場グレーディングを行うことがある（オンセットグレーディング）。オンセットグレーディングでは、撮影している映像にリアルタイムで画作りパラメータを反映させた画を表示するため、画作りパラメータを表示装置に入力し、表示装置で画作りパラメータによる画像処理を行って表示するということが行われている。オンセットグレーディングの結果は画作りパラメータとして持ち帰り、本グレーディング時の初期値データとして用いることがある。
【０００５】
表示装置に必要な電力が上限を超えるのを防ぐ技術は、例えば、特許文献１に開示されている。特許文献１に開示の技術では、画像データに基づいて表示装置の消費電力が推定され、推定された消費電力が閾値より大きい場合に、推定された消費電力が閾値以下となるように画像データが補正される。
【先行技術文献】
【特許文献】
【０００６】
【特許文献１】特開２００６−１１９４６５号公報
【発明の概要】
【発明が解決しようとする課題】
【０００７】
ユーザがオンセットグレーディングを実施するために表示装置を用いる場合、入力映像に対して画作りパラメータによる画像処理を施し画像処理後の画像を確認することがある。
【０００８】
しかしながら、上述した従来の技術では、ユーザが画作りパラメータを適用して画像を確認するために、画像処理が施されたあとの画像に基づいて、画像データが補正されることにより、画像処理の前後で、基準となる表示輝度が変化してしまう場合があった。
【０００９】
そこで、本発明は、ユーザが画像に対して画作りパラメータによる画像処理を施す場合に、基準となる表示輝度の変化を抑制して画像を表示することができる技術を提供することを目的とする。
【課題を解決するための手段】
【００１０】
上記目的を達成するために、本発明の一実施形態に係る表示装置は、入力画像に基づいて画面に画像を表示する表示装置であって、ユーザの指示に応じて画像に画作りパラメータによる画像処理を施す画像処理手段と、前記画像に基づいて、前記表示装置の表示輝度の上限値を決定する決定手段と、を備え、前記決定手段は、前記画像処理手段が画作りパラメータによる画像処理を施した場合に、表示輝度の上限値は画像によらず予め決められた上限値とすることを特徴とする。
【発明の効果】
【００１１】
本発明によればユーザが画像に対して画作りパラメータによる画像処理を施す場合に、基準となる表示輝度の変化を抑制して画像を表示することができる技術を提供することができる。
【図面の簡単な説明】
【００１２】
【図１】本発明の実施形態にかかわる概略構成図である。
【図２】表示装置の構成例を示す構成図である。
【図３】制御回路基板の機能ブロックを示すブロック図である。
【図４】本発明の実施形態にかかわる画作りパラメータの例である。
【図５】本発明の実施形態にかかわる画作りパラメータによる画像処理変換式である。
【図６】本発明の実施形態にかかわる輝度補正制御のＯＮ／ＯＦＦを決定する表である。
【図７】特徴量取得部の処理の例を示す模式図である。
【図８】基準輝度決定部の処理を示す模式図である。
【図９】制御輝度と基準輝度との対応関係を示した模式図である。
【図１０】基準輝度と特徴量との対応関係を示した模式図である。
【図１１】輝度補正部が実行する制御輝度決定処理を示すフローチャートである。
【発明を実施するための形態】
【００１３】
［実施例１］
以下、本発明の実施例１について説明する。なお、以下では、本実施例に係る表示装置が透過型の液晶表示装置である場合の例を説明するが、本実施例に係る表示装置は液晶表示装置に限らない。本実施例に係る表示装置は、発光部と、発光部からの光を入力画像データに基づいて透過することにより画像を表示する表示部と、を有する表示装置であればよい。例えば、本実施例に係る表示装置は、液晶素子の代わりにＭＥＭＳ（Ｍｉｃｒｏ  Ｅｌｅｃｔｒｏ  Ｍｅｃｈａｎｉｃａｌ  Ｓｙｓｔｅｍ）シャッターを用いたＭＥＭＳシャッター方式表示装置であってもよい。また、本実施形に係る表示装置は、表示部を透過した光を、投影面に照射して画像を表示する投影装置（プロジェクター）であってもよい。
【００１４】
図１は、本発明の実施形態にかかわる表示装置を用いたオンセットグレーディングを行う際の概略構成図である。
【００１５】
表示装置１に対してカメラ２から例えばＳＤＩ（Ｓｅｒｉａｌ  Ｄｉｇｉｔａｌ  Ｉｎｔｅｒｆａｃｅ）ケーブルを通じて撮像した映像が入力されている。ＰＣ３（Ｐｅｒｓｏｎａｌ  Ｃｏｍｐｕｔｅｒ）と表示装置１は例えばＵＳＢ（Ｕｎｉｖｅｒｓａｌ  Ｓｅｒｉａｌ  Ｂｕｓ）ケーブルで接続されている。ＰＣ３にはカラーグレーディングソフトがインストールされており、ＰＣ３の画面にはカラーグレーディングソフトのアプリケーション画面が表示されており、そこで指示する画作りパラメータがＰＣ３から表示装置１に対して送られる。表示装置１の画面にはカメラ２から入力された映像に画作りパラメータによる画像処理を適用した映像が表示される。
【００１６】
図２は、本実施例に係る表示装置１の構成例を示す構成図である。表示装置１は、液晶パネル部１０、バックライトユニット２０、および制御回路基板１００を有する。液晶パネル１０は、バックライトユニット２０から発せられた光を制御回路基板１００から入力された表示画像データに基づいて透過することにより画像を表示する。
【００１７】
液晶パネル部１０は、液晶ドライバ、コントロール基板、及び、液晶パネルを有する。液晶パネルは、複数の液晶素子を有する透過面を有する。コントロール基板は、液晶パネル部１０に入力された画像データに応じて液晶ドライバに指示を出力することにより、液晶ドライバの処理を制御する。液晶ドライバは、コントロール基板から出力された上記指示に応じて、液晶パネルの各液晶素子を駆動する。それにより、各液晶素子の透過率が、液晶パネル部１０に入力された画像データに応じた値に制御される。バックライトユニット２０から発せられた光が各液晶素子を透過することにより、画面に画像が表示される。図１の点線で区切られた矩形領域は、バックライトユニット２０の光源に対応する複数の対応領域に対応する。対応領域については後述する。
【００１８】
対応領域の形状は矩形（四角形）に限らない。例えば、対応領域の形状は、円形、三角形、五角形、六角形、等であってもよい。複数の対応領域の配置はマトリクス状の配置に限られない。例えば、複数の対応領域が千鳥格子状に配置されていてもよい。
【００１９】
バックライトユニット２０は、個別に発光を制御可能な複数の光源部２１を有する。各光源部２１は、１つ以上の発光素子（光源）を有する。発光素子としては、発光ダイオード（ＬＥＤ）、有機ＥＬ素子、冷陰極管、等を使用することができる。バックライトユニット２０は、複数の光源部、各光源部の発光を制御する制御回路、及び、各光源部から発せられた光を拡散させる光学ユニットを有する。バックライトユニット２０は、例えば、水平方向ｍ個×垂直方向ｎ個の光源部を有する（ｍとｎは自然数）。本実施例では、バックライトユニット２０は、水平方向６個×垂直方向４個の光源部を有する。
【００２０】
また、本実施例では、各光源部は、白色の光を発する発光素子を有する。例えば、発光素子は、流れる電流に応じた輝度で白色光を発する白色ＬＥＤであるとする。制御回路基板１００は、発光素子に流れる電流を、Ｐｕｌｓｅ  Ｗｉｄｔｈ  Ｍｏｄｕｌａｔｉｏｎ（ＰＷＭ）で制御することにより、各光源部の発光輝度を制御する。なお、光源部は、発光素子として、赤色の光を発する赤色ＬＥＤ、緑色の光を発する緑色ＬＥＤ、および青色の光を発する青色ＬＥＤを備えるものであってもよい。
【００２１】
なお、複数の光源部の配置はマトリクス状の配置に限られない。例えば、複数の光源部が千鳥格子状に配置されていてもよい。本実施例では、複数の光源部２１は、画面を構成する複数の対応領域にそれぞれ対応付けられている。
【００２２】
制御回路基板１００は、入力画像データに基づく画像が表示されるように、液晶パネル１０およびバックライトユニット２０を制御する制御装置である。制御回路基板１００は、表示装置１があらかじめ定められた電力閾値Ｐｔｈ以下の消費電力で駆動するように、表示輝度の範囲を制御する。具体的には、制御回路基板１００は、表示装置１があらかじめ定められた電力閾値Ｐｔｈ以下の消費電力で駆動するように、表示輝度の上限値を制御する。
【００２３】
また、制御回路基板１００は、入力画像データに、ユーザの指示に応じて、画作りパラメータによる画像処理を施して表示画像データを生成することができる。
【００２４】
図３は、制御回路基板１００の機能ブロックを示すブロック図である。制御回路基板１００は、映像入力部１０１、画作り用画像処理部１０２、特徴量取得部１０３、通信部１０４、基準輝度決定部１０５、電力推定部１０６、輝度補正部１０７、輝度推定部１０８、補正値決定部１０９、画像補正部１１０、および記憶部１１１を有する。
【００２５】
映像入力部１０１は、カメラ等の外部機器から非図示の入力端子を介して入力された入力画像を画像処理部１０２に伝送する。
【００２６】
画像処理部１０２は、入力画像データに画作りパラメータによる画像処理を施して表示画像データを生成し、特徴量取得部１０３と画像補正部１１０とに出力する。また、画像処理部１０２は、通信部から指定された画作りパラメータに基づき、入力画像データに画像処理を施す。画像処理部１０２は、画像処理を施さない入力画像データを表示画像データとして出力することも可能である。また画作り用画像処理部１０２は、画作りパラメータによる画像処理を実行しているかどうかに応じて、記憶部に保存されている画作り画像処理フラグをＯＮ／ＯＦＦに変更する。
【００２７】
ここで画作りパラメータとは、例えば図４のようなものである。ここでは、画作りパラメータはＡＳＣ  ＣＤＬ（Ａｍｅｒｉｃａｎ Ｓｏｃｉｅｔｙ ｏｆ Ｃｉｎｅｍａｔｏｇｒａｐｈｅｒｓ Ｃｏｌｏｒ Ｄｅｃｉｓｉｏｎ Ｌｉｓｔ）で使用される、ｓｌｏｐｅ, ｏｆｆｓｅｔ, ｐｏｗｅｒをＲ，Ｇ，Ｂ毎に記載する形式のものを例として使用する。この形式では、入力映像のＲ，Ｇ，Ｂそれぞれの信号レベルを０〜１に正規化したものをＩＮとすると正規化された出力、ＯＵＴは図５であらわされ、その後ＯＵＴをまた入力と同じビット数の信号レベルに伸長する。例えばｓｌｏｐｅ＝２、ｏｆｆｓｅｔ＝０、ｐｏｗｅｒ＝１の場合、１０ｂｉｔの入力信号レベル５１１は画像処理後１０２３に変換される。
【００２８】
特徴量取得部１０３は、複数の光源部のそれぞれについて、その光源部に対応する対応領域に表示される画像の特徴量を、表示画像データから取得する。そして、特徴量取得部１０３は、各光源部に対して取得した特徴量を、基準輝度決定部１０５へ出力する。対応領域は、入力画像データ、パネル解像度、およびバックライトユニット２０の光源部の数に基づいて決定される。本実施例では、特徴量取得部１０３は、各対応領域に表示される画像の階調値の最大値を、当該対応領域の光源部に対する特徴量として取得する。なお、特徴量として、各対応領域に表示される画像の階調値の平均値等の統計量を用いてもよい。特徴量は、各対応領域に表示される画像の明るさに対応する値であれば、代用可能である。
【００２９】
ここで、各画素値がＲＧＢ値（赤色の階調値であるＲ値、緑色の階調値であるＧ値、及び、青色の階調値であるＢ値の組み合わせ）であるＲＧＢ画像データが表示画像データとして取得される場合を考える。この場合には、対応領域内の最大Ｒ値（Ｒ値の最大値）が特徴量として取得されてもよいし、最大Ｇ値（Ｇ値の最大値）が特徴量として取得されてもよいし、最大Ｂ値（Ｂ値の最大値）が特徴量として取得されてもよい。最大Ｒ値、最大Ｇ値、及び、最大Ｂ値のうちの最大値が、特徴量として取得されてもよい。各画素についてＲＧＢ値からＹ値（輝度値）が算出されてもよい。そして、Ｙ値の最大値が特徴量として取得されてもよい。
【００３０】
図７は、特徴量取得部１０３の処理の例を示す模式図である。図７（ｂ）は、特徴量取得部１０３が図７（ａ）の画像に基づいて取得した各対応領域の特徴量を示す模式図である。画像の階調値が１０ビットの値（０〜１０２３）で示される場合の例を示す。階調値が大きいほど（輝度が高いほど）白色に近く、且つ、階調値が小さいほど（輝度が低いほど）黒色に近い色であるとする。図７（ａ）において、中央の白色の矩形オブジェクトは階調値１０２３のベタ画像であり、点描で示した領域は階調値１のベタ画像であるとする。
【００３１】
図７（ｂ）は、図７（ａ）の表示画像データから取得された各対応領域の特徴量を示す。図７において、水平方向に並んだ数値（１〜６）は、対応領域の水平位置（水平方向における位置ｍ）を示し、垂直方向に並んだ数値（１〜４）は、対応領域の垂直位置（垂直方向における位置ｎ）を示す。以降、対応領域を水平位置ｍと垂直位置ｎとを用いて、対応領域（ｍ、ｎ）と示す。
【００３２】
図７（ｂ）に示すように、矩形オブジェクトの一部を含む対応領域（３，２）（４，２）（３，３）（４，３）では、特徴量（階調値の最大値；最大階調値）として１０２３が取得されている。そして、オブジェクトを含まない対応領域では、特徴量として１が取得されている。
【００３３】
表示画像データはＲＧＢ画像データに限られない。例えば、各画素値がＹＣｂＣｒ値（輝度値であるＹ値、色差値であるＣｂ値、及び、色差値であるＣｒ値の組み合わせ）であるＹＣｂＣｒ画像データが、表示画像データとして取得されてもよい。特徴量は最大階調値に限られない。例えば、特徴量として、階調値の他の代表値（最小値、平均値、中間値、最頻値、等）、階調値のヒストグラム、等が取得されてもよい。複数の光源部の間で共通の特徴量が取得されてもよい。例えば、複数の光源部の間で共通の特徴量として、表示画像データ全体に対応する特徴量が取得されてもよい。
【００３４】
基準輝度決定部１０５は、記憶部１１１に記憶された特徴量と基準輝度との対応関係を示すルックアップテーブルを用いて、各光源部の基準の発光輝度（発光量）である基準輝度を決定する。そして、基準輝度決定部１０５は、各光源部の基準輝度を電力推定部１０６、輝度推定部１０８、および輝度補正部１０７へ出力する。本実施例では、基準輝度決定部１０５は、複数の光源部のそれぞれについて、その光源部に対して取得された特徴量に応じて、当該光源部の基準輝度を決定する。
【００３５】
図８は、基準輝度決定部１０５の処理を示す模式図である。図８（ａ）は、特徴量と基準輝度の対応関係を示すルック・アップ・テーブル（ＬＵＴ）である。図８（ａ）の横軸は特徴量を示し、図８（ａ）の縦軸は基準輝度を示す。基準輝度（発光輝度）０［％］は、光源部が消灯している状態に対応し、基準輝度１００［％］は、上限の発光輝度で光源部が発光している状態に対応する。基準輝度１００［％］で発光した場合の光源部の輝度は、輝度補正制御ＯＮの場合、予めユーザが設定した表示輝度、もしくは光源部が発することが可能な最大の輝度であり、輝度補正制御ＯＦＦの場合、予めユーザが設定した表示輝度、もしくはすべての光源部が基準輝度１００［％］で発光した場合でも消費電力が電力閾値Pｔｈを超えない最大の輝度であるとする。
【００３６】
図９は、基準輝度と制御輝度の対応関係を示した図であり、例えば、輝度補正制御ＯＮの場合、基準輝度１００［％］で発光した光源部から、２００００ｃｄ／ｍ２で光が照射され、輝度補正制御ＯＦＦの場合、基準輝度１００［％］で発光した光源部から、１２５００ｃｄ／ｍ２で光が照射されるとする。
【００３７】
基準輝度決定部１０５は、上記ＬＵＴを用いて、各対応領域の特徴量に基づいて、各光源部の基準輝度を決定する。図８（ｂ）は、基準輝度決定部１０５が、決定した各光源部の基準輝度を示す模式図である。基準輝度決定部１０５は、図７（ｂ）に示す特徴量が取得された場合、図８（ａ）の対応関係から、図８（ｂ）の基準輝度を決定する。
【００３８】
なお、基準輝度の決定方法は上記方法に限られない。例えば、ＬＵＴの代わりに、特徴量と基準輝度との対応関係を示す関数が使用されてもよい。特徴量と基準輝度との対応関係は図８（ａ）の対応関係に限られない。特徴量に対して段階的に基準輝度が上昇するものであってもよい。また、光源部からの光が、当該光源部に対応する対応領域の周辺へ漏れる場合を考慮して、各光源部の基準輝度を決定するものであってもよい。
【００３９】
電力推定部１０６は、輝度補正制御ＯＮの場合、各光源部が基準輝度で発光した場合にバックライトユニット２０が消費すると推定される消費電力Ｐを算出する。各光源部の発光素子は、各光源部に対して決定された基準輝度に応じたパルス幅で電流を印加される。電力推定部１０６は、予め決められた各光源部に流れる電流値Ｉと、各光源部に対して決定された基準輝度に応じたパルス幅とに基づいて、バックライトユニット２０が消費すると推定される消費電力Ｐを算出する。
【００４０】
例えば、１つの光源部が１００％の発光輝度で点灯した場合に消費する電力が４０Ｗであるとする。光源部の消費電力は、発光輝度に比例すると、図８（ｂ）に示した基準輝度で各光源部が駆動した場合の消費電力Ｐは、８００Ｗである。電力推定部１０６は、輝度補正部１０７、および記憶部１１１に消費電力Ｐを出力する。
【００４１】
なお、後述するように消費電力Ｐが電力閾値Ｐｔｈより高い場合、消費電力が電力閾値Ｐｔｈと同等になるように各光源部の輝度が調整される。したがって、電力推定部１０６は、消費電力Ｐが電力閾値Ｐｔｈより高い場合、電力閾値Ｐｔｈを記憶部１１１に出力してもよい。電力推定部１０６は、輝度補正制御無しの場合は何もしない。
【００４２】
輝度推定部１０８は、各光源部の基準輝度に基づいて、液晶パネルに入射する光の輝度分布を推定し、補正値決定部１０９に出力する。輝度推定部１０８は、各光源部が基準輝度に基づいて発光した場合に液晶パネルに入射する光の輝度分布を、各光源部から隣接する光源部の対応領域への漏れ光の影響を考慮して推定する。
【００４３】
補正値決定部１０９は、輝度推定部１０８で推定された輝度分布に基づいて、表示画像データを補正する画像補正値を決定する。補正値決定部１０９は、画像補正値を画像補正部１１０へ出力する。本実施例では、以下の式１を用いて、表示画像データの階調値に乗算されるゲイン値である補正係数Ｇｐｎが、画像補正値として算出される。式１において、「Ｌｔ」は、全ての光源部を１００％の基準輝度で点灯した場合に液晶パネルに入射する光の輝度であり、「Ｌｐｎ」は、推定された入射輝度である。なお、画像補正値はゲイン値に限られない。例えば、画像補正値として、入力画像データの階調値に加算されるオフセット値が決定されてもよい。
【００４４】
Ｇｐｎ＝Ｌｔ／Ｌｐｎ  ・・・（式１）
画像補正部１１０は、補正値決定部１０９によって決定された画像補正値を用いて表示画像データの各階調値を補正して、液晶パネル部１０へ出力する。液晶パネル部１０は、入力された画像データに基づいて、各液晶素子を制御することから、画像補正部１１０は、液晶パネルを制御するともいえる。
【００４５】
輝度補正部１０７は、複数の光源部の輝度を補正して制御輝度を決定する。輝度補正部１０７は、消費電力Ｐが電力閾値Ｐｔｈよりも大きい場合に、各光源部の基準輝度を低減して制御輝度とする。例えば、輝度補正部１０７は、各光源部の基準輝度に、補正値（Ｐｔｈ／Ｐ）を乗算して制御輝度を取得するとする。具体的には、輝度補正部１０７は、各光源部の基準輝度に応じた各光源部のＰＷＭ制御のためのパルス幅を、消費電力Ｐと電力閾値Ｐｔｈとの比を用いて、低減する処理を施す。
【００４６】
図８（ｂ）に示した各光源部の基準輝度に基づいて取得した消費電力Ｐが、電力閾値Ｐｔｈよりも大きい場合について説明する。例えば、電力閾値Ｐｔｈは６００Ｗであるとする。上述したように、図８（ｂ）に示した各光源部の基準輝度に基づいて取得した消費電力Ｐが８００Ｗであるとすると、輝度補正部１０７は、補正値を０．７５とする。
【００４７】
図１０は、輝度補正部１１０により補正された各光源部の輝度を示す模式図である。図１０（ａ）は、上述の補正値を適用した制御輝度と特徴量との対応関係を示した模式図である。図１０（ａ）の点線は、図８（ａ）に示した特徴量と基準輝度との対応関係を示す。図１０（ａ）の実線は、特徴量と制御輝度との対応関係を示す。つまり、輝度補正部１０７による補正を行うことで、各対応領域に対応する光源部は、特徴量に対して関連付けられた基準輝度よりも低い制御輝度で制御される。
【００４８】
上述の例示した基準輝度の最大値と補正値とに基づいて、制御輝度を決定した場合、制御輝度の取りうる最大値は、１５０００ｃｄ／ｍ２（２００００ｃｄ／ｍ２×０．７５）となる。図１０（ｂ）は、輝度補正部１０７が決定した各光源部の制御輝度を示す模式図である。全ての光源部の基準輝度に補正値が乗算されて制御輝度となる。
【００４９】
なお、輝度補正制御ＯＦＦの場合は、基準輝度と制御輝度の関係がすべての領域の基準輝度が１００％であった場合であっても消費電力Ｐが必ず電力閾値Ｐｔｈ以下となっているため、補正処理を行わない。基準輝度に対して輝度補正無し用の制御輝度に変換する。
【００５０】
輝度補正部１０７は、各光源部の制御輝度を、バックライトユニット２０に出力する。バックライトユニット２０は、取得した制御輝度に基づいて、ＰＷＭ制御で各光源部の発光を制御する。したがって、輝度補正部１１０は、各光源部の制御輝度をバックライトユニット２０に出力することにより、バックライトユニット２０を制御するともいえる。
【００５１】
なお、バックライトユニット２０の輝度の上限値は、表示装置１の表示可能な輝度の上限値に対応する。すなわち、制御輝度を低減することによって、表示装置が表示可能な表示輝度の上限値は低下する。液晶パネルの液晶素子に対応する画素値が最大値（１０２３）である場合、画素値に基づいて駆動された当該液晶素子の透過率が１０％であるとする。各光源部の発光を基準輝度で制御した場合、制御輝度の上限値が２００００ｃｄ／ｍ２であるとすると、表示輝度の上限値は、２０００ｃｄ／ｍ２（２００００ｃｄ／ｍ２×０．１）である。
【００５２】
一方で、上述のように、消費電力Ｐが電力閾値Ｐｔｈ以下となるように光源部の取りうる輝度の上限値を低下する処理を実行した場合、表示輝度の上限値も低下する。例えば、上述のように、各光源部の基準輝度に対して消費電力Ｐに基づく補正処理を施した場合、制御輝度の上限値が１５０００ｃｄ／ｍ２であるとすると、表示輝度の上限値は、１５００ｃｄ／ｍ２（１５０００ｃｄ／ｍ２×０．１）に低下する。
【００５３】
即ち、上述の処理により、制御回路１００は、消費電力があらかじめ設定された電力以下（電力閾値Ｐｔｈ以下）となるように、表示輝度の上限値を制御するといえる。したがって、表示装置１は、電力閾値Ｐｔｈ以下の消費電力で、画像が表示することが可能となる。また、以降の処理で、表示装置が表示可能な輝度の上限値を比較する処理は、バックライトユニット２０の発光輝度を比較する処理としてもよい。
【００５４】
記憶部１１１は、制御回路基板１００の各機能ブロックが用いるパラメータを記憶する記憶媒体である。例えば、記憶部１１１は、輝度補正制御メニュー設定フラグ、画作り画像処理フラグ、特徴量と基準輝度との対応関係を示すＬＵＴや、画像処理部１０２が画像処理に使用するパラメータ、消費電力Ｐ等を記憶する。
【００５５】
図１１は、本実施例における、輝度補正部１０７の制御輝度決定処理を示すフローチャートである。輝度補正部１０７は入力映像のフレーム更新のたびに、すなわち、６０フレーム／秒の入力映像では1秒間に６０回、映像の垂直同期信号に合わせて処理を開始するとする。
【００５６】
ステップＳ６０１で、輝度補正部１０７は記憶部１１１の輝度補正制御メニュー設定フラグを読み出し、輝度補正制御メニュー設定フラグがＯＮである場合、処理をステップＳ６０２に進める。輝度補正制御メニュー設定フラグがＯＦＦの場合は、輝度補正制御ＯＦＦと判断し、処理をステップＳ６０５に進める。なお、輝度補正制御メニュー設定フラグは、ユーザが非図示の操作部を介して設定した設定値が記憶部１１１に保存されている。
【００５７】
ステップＳ６０２で、輝度補正部１０７は記憶部１１１の画作り画像処理フラグを読み出し、画作り画像処理フラグがＯＦＦの場合、輝度補正制御ＯＮと判断し、処理をステップＳ６０３に進める。画作り画像処理フラグがＯＮの場合は、輝度補正制御ＯＦＦと判断し、処理をステップＳ６０５に進める。
【００５８】
なお、画作り画像処理フラグは、ＰＣを介してユーザが画作り画像処理を設定した際に値が記憶部１１１に保存されている。
【００５９】
ステップＳ６０３で、輝度補正部１０７は基準輝度に対して上述した、輝度補正制御を実施し、処理をＳ６０４に進める。
【００６０】
ステップＳ６０４で、輝度補正部１０７は基準輝度に対して、輝度補正制御ＯＮでの基準輝度と制御輝度との対応関係を示すルックアップテーブルを用いて、制御輝度を決定する。
【００６１】
ステップＳ６０５で、輝度補正部１０６は基準輝度に対して、輝度補正制御ＯＦＦでの基準輝度と制御輝度との対応関係を示すルックアップテーブルを用いて、制御輝度を決定する。
【００６２】
以上述べたように、輝度補正制御メニュー設定がＯＮである場合、画作り画像処理がＯＮの場合は輝度補正制御ＯＦＦでの制御輝度が決定されるため、画作りパラメータの変更による基準輝度の変化を抑制して画像を表示することができる。また、画作り画像処理がＯＦＦの場合には、輝度補正制御ＯＮとなり、画像により表示輝度上限まで利用して画像を表示することができる。
【００６３】
なお、画作りパラメータを適用した際に輝度補正制御をＯＦＦとする判断では、表示装置１の画面上にＯＦＦとするかの選択肢を表示し、ユーザが選択することでＯＦＦとするかＯＮのままとするかを選択できるようにしてもよい。また、その際に画作りパラメータの内容により、輝度補正制御をＯＦＦにしない場合、画作りパラメータにより輝度補正が強くなるか弱くなるかの情報を表示してもよい。
【００６４】
また、画作りパラメータの内容により、輝度補正制御をＯＦＦとするかどうかの判断を変更してもよい。
【００６５】
なお、本例は表示装置が画作りパラメータを受け取り、画像処理を行う例で説明したが、画作りパラメータによる画像処理装置が表示装置の前段に有り、画像処理装置から画像処理を行っているかどうかの情報を受け取って輝度補正制御をＯＦＦとするような構成でもよい。
【符号の説明】
【００６６】
１  表示装置
１０  液晶パネル部
２０  バックライトユニット
１００  制御回路基板
２  カメラ
３  ＰＣ
【図１】
2019158984.tif 000003
【図２】
2019158984.tif 000004
【図３】
2019158984.tif 000005
【図４】
2019158984.tif 000006
【図５】
2019158984.tif 000007
【図６】
2019158984.tif 000008
【図７】
2019158984.tif 000009
【図８】
2019158984.tif 000010
【図９】
2019158984.tif 000011
【図１０】
2019158984.tif 000012
【図１１】
2019158984.tif 000013